(57)【要約】【課題】タイミングベルトにフラットケーブル等の部材が接触することにより生じる不具合を抑制または回避し、読取ユニットの安定した移動を確保する。【解決手段】読み取り手段３７を移動させる移動機構４３が、動力源４４によって駆動される駆動プーリー４５と、従動回転可能な複数の従動プーリー４６、４７と、駆動プーリー４５と複数の従動プーリー４６、４７との間に係回され、読み取り手段３７を牽引する無端ベルト４８とを備え、無端ベルト４８は、副走査方向に沿って延びるベルト区間であって読み取り手段３７を牽引する第１のベルト区間５４と、読み取り手段３７を牽引しないベルト区間である第２のベルト区間５６とを有し、第２のベルト区間５６における無端ベルト４８の少なくとも一部は、無端ベルト４８の延設方向に沿って設けられた壁から読み取り手段３７の移動領域側に非突出状態となるように設けられている。【選択図】図１２
2017153005.tif 000002
【特許請求の範囲】
【請求項１】
主走査方向に延設されるとともに、前記主走査方向と交差する副走査方向に移動可能な読み取り手段と、
前記読み取り手段を移動させる移動機構と、を備え、
前記移動機構は、
動力源によって駆動される駆動プーリーと、
従動回転可能な複数の従動プーリーと、
前記駆動プーリーと前記複数の従動プーリーとの間に係回され、前記読み取り手段を牽引する無端ベルトと、を備え、
前記無端ベルトは、
前記副走査方向に沿って延びるベルト区間であって前記読み取り手段を牽引する第１のベルト区間と、
前記読み取り手段を牽引しないベルト区間である第２のベルト区間と、を有し、
前記第２のベルト区間における前記無端ベルトの少なくとも一部は、前記無端ベルトの延設方向に沿って設けられた壁から前記読み取り手段の移動領域側に非突出状態となるように設けられている、
ことを特徴とする画像読取装置。
【請求項２】
請求項１に記載の画像読取装置において、一端側において前記読み取り手段に固定されるとともに、前記読み取り手段の移動に追従して変形可能な可動部を有するフレキシブルフラットケーブルを備え、
前記壁が、前記フレキシブルフラットケーブルの前記可動部の下側に設けられている、ことを特徴とする画像読取装置。
【請求項３】
請求項２に記載の画像読取装置において、前記第２のベルト区間が、前記副走査方向と交差する方向に延びる、
ことを特徴とする画像読取装置。
【請求項４】
請求項３に記載の画像読取装置において、前記壁は、前記無端ベルトの両側に設けられている、
ことを特徴とする画像読取装置。
【請求項５】
請求項３または請求項４に記載の画像読取装置において、前記壁は、前記読み取り手段の移動に伴う前記可動部の移動領域全域に亘って設けられている、
ことを特徴とする画像読取装置。
【請求項６】
請求項１から請求項５のいずれか一項に記載の画像読取装置において、前記壁が、前記画像読取装置の装置本体を構成する筐体に設けられるリブにより形成されている、ことを特徴とする画像読取装置。
【請求項７】
請求項１から請求項６のいずれか一項に記載の画像読取装置において、前記壁が、前記画像読取装置の装置本体を構成する筐体に設けられる凹部により形成されている、ことを特徴とする画像読取装置。
【請求項８】
被記録媒体を搬送する搬送手段と、搬送される被記録媒体に記録を行う記録手段と、を備える記録機構部と、
前記記録機構部の上部に設けられた、請求項１から請求項７のいずれか一項に記載の前記画像読取装置と、を備える、
ことを特徴とする記録装置。
【発明の詳細な説明】
【技術分野】
【０００１】
本発明は、原稿の画像を読み取る画像読取装置及び画像読取装置を備えた記録装置に関する。
【背景技術】
【０００２】
被記録媒体に記録を行う記録装置には、被記録媒体に記録を行う記録機構部と、原稿を読み取る読み取り機構部（画像読取装置、スキャナーとも言う）を一体に備える構成のものがある。  
ところで、フラットベッド型の画像読取装置における読取ユニットの移動機構には、駆動源により回転する駆動プーリー及び前記駆動プーリーに従動回転する従動プーリーに掛け回されたタイミングベルトに前記読取ユニットを固定し、駆動プーリーを回転させてタイミングベルトを移動させて前記読取ユニットを牽引する方式がある。  
例えば特許文献１では、読取ユニットの移動方向の両端に設けられた駆動プーリー及び従動プーリーにタイミングベルトが張架されている。
【先行技術文献】
【特許文献】
【０００３】
【特許文献１】特開２００３−７８７１９号公報
【発明の概要】
【発明が解決しようとする課題】
【０００４】
特許文献１において、タイミングベルトとしてのベルト６は画像読取装置を構成する枠体１１内にベルト６全体が露呈した状態で設けられているが、ベルト６に他の部材、例えば読取ユニット１が接触すると、ベルト６が傷つけられる虞がある。ベルト６に傷がつくと、ベルト６に牽引される読取ユニット１の安定した移動が確保できない虞がある。
【０００５】
また、特許文献１において読取ユニット１には、読取ユニット１によって読み取った画像データを記録機構部側に設けられる基板等に伝送するフラットケーブル７が設けられている。フラットケーブル７は、装置（枠体１１）内において屈曲されて引き回されるとともに、変形自在に収容されており、これによって画像読取時における読取ユニットの移動に対応してフラットケーブル７が変形しつつ追従するように構成されている。
【０００６】
読取ユニット１の移動に追従して変形するフラットケーブル７がベルト６に接触すると負荷が生じ、これによっても読取ユニット１の安定した移動が確保できない場合がある。  
フラットケーブル７とベルト６との接触を避けるため、特許文献１では、フラットケーブル７とベルト６を離れた位置に配置している。  
このような構成では、フラットケーブルとタイミングベルトの相互位置が制限されるため、構成部材のレイアウトの自由度が低くなってしまう。
【０００７】
そこで本発明の目的は、タイミングベルトに読取ユニットやフラットケーブル等の他の部材が接触することにより生じる不具合を抑制または回避し、読取ユニットの安定した移動を確保することにある。
【課題を解決するための手段】
【０００８】
上記課題を解決するため、本発明の第１の態様に係る画像読取装置は、主走査方向に延設されるとともに、前記主走査方向と交差する副走査方向に移動可能な読み取り手段と、前記読み取り手段を移動させる移動機構と、を備え、前記移動機構は、動力源によって駆動される駆動プーリーと、従動回転可能な複数の従動プーリーと、前記駆動プーリーと前記複数の従動プーリーとの間に係回され、前記読み取り手段を牽引する無端ベルトと、を備え、前記無端ベルトは、前記副走査方向に沿って延びるベルト区間であって前記読み取り手段を牽引する第１のベルト区間と、前記読み取り手段を牽引しないベルト区間である第２のベルト区間と、を有し、前記第２のベルト区間における前記無端ベルトの少なくとも一部は、前記無端ベルトの延設方向に沿って設けられた壁から前記読み取り手段の移動領域側に非突出状態となるように設けられている、ことを特徴とする。
【０００９】
本態様によれば、前記第２のベルト区間における前記無端ベルトの少なくとも一部は、前記無端ベルトの延設方向に沿って設けられた壁から前記読み取り手段の移動領域側に非突出状態となるように設けられているので、前記無端ベルトの少なくとも一部に対し、他の部材が接触する虞を抑制または回避することができる。以って、前記無端ベルトを用いた移動機構により読み取り手段を安定して移動させることができる。
【００１０】
本発明の第２の態様に係る画像読取装置は、第１の態様において、一端側において前記読み取り手段に固定されるとともに、前記読み取り手段の移動に追従して変形可能な可動部を有するフレキシブルフラットケーブルを備え、前記壁が、前記フレキシブルフラットケーブルの前記可動部の下側に設けられている、ことを特徴とする。
【００１１】
本態様によれば、前記壁が、前記フレキシブルフラットケーブル（以下、ＦＦＣと称する場合がある）の前記可動部の下側に設けられているので、前記読み取り手段の移動時に、前記無端ベルトと前記ＦＦＣの前記可動部が接触する虞を抑制または回避することができる。    また、前記壁によって前記無端ベルトと前記可動部との接触の虞を回避するので、前記ＦＦＣを含む他の構成要素と前記無端ベルトとの位置関係において、レイアウトの自由度が増す。
【００１２】
本発明の第３の態様に係る画像読取装置は、第２の態様において、前記第２のベルト区間が、前記副走査方向と交差する方向に延びる、ことを特徴とする。
【００１３】
本態様によれば、前記第２のベルト区間が、前記副走査方向と交差する方向に延びるので、前記ＦＦＣと前記無端ベルトとの接触面積が増えるが、前記壁により、前記ＦＦＣと前記無端ベルトとが接触する虞を抑制または回避することができる。
【００１４】
本発明の第４の態様に係る画像読取装置は、第３の態様において、前記壁は、前記無端ベルトの両側に設けられている、ことを特徴とする。
【００１５】
本態様によれば、前記壁が、前記無端ベルトの両側に設けられているので、前記ＦＦＣと前記無端ベルトとが接触する虞をより確実に抑制または回避することができる。
【００１６】
本発明の第５の態様に係る画像読取装置は、第３の態様または第４の態様において、前記壁は、前記読み取り手段の移動に伴う前記可動部の移動領域全域に亘って設けられている、ことを特徴とする。
【００１７】
本態様によれば、前記壁は、前記読み取り手段の移動に伴う前記可動部の移動領域全域に亘って設けられているので、前記ＦＦＣと前記無端ベルトとが接触する虞をより確実に抑制または回避することができる。
【００１８】
本発明の第６の態様に係る画像読取装置は、第１の態様から第５の態様のいずれかにおいて、前記壁が、前記画像読取装置の装置本体を構成する筐体に設けられるリブにより形成されている、ことを特徴とする。
【００１９】
本態様によれば、構成簡単にして前記壁を形成することができる。
【００２０】
本発明の第７の態様に係る画像読取装置は、第１の態様から第６の態様のいずれかにおいて、前記壁が、前記画像読取装置の装置本体を構成する筐体に設けられる凹部により形成されている、ことを特徴とする。
【００２１】
前記壁を前記装置本体を構成する前記筐体に設けられる凹部により形成すると、前記装置本体における当該凹部の高さ方向と交差する方向にスペースができる。  
本態様によれば、前記凹部周辺にできた前記スペースを他の構成要素を配置するスペースとして利用することができる。
【００２２】
本発明の第８の態様に係る記録装置は、被記録媒体を搬送する搬送手段と、搬送される被記録媒体に記録を行う記録手段と、を備える記録機構部と、前記記録機構部の上部に設けられた、第１の態様から第７の態様のいずれか一項に記載の前記画像読取装置と、を備える、ことを特徴とする。
【００２３】
本態様によれば、記録機構部と画像読取装置とを備える記録装置において、第１の態様から第７の態様のいずれかと同様の作用効果を得ることができる。
【図面の簡単な説明】
【００２４】
【図１】本発明に係るプリンターの外観斜視図。
【図２】本発明に係るプリンターにおいて手差しカバーを開いた状態を表す外観斜視図。
【図３】本発明に係るプリンターにおいて画像読取装置を開いた状態を示す斜視図。
【図４】本発明に係るプリンターの用紙搬送経路を示す図。
【図５】画像読取装置の斜視図。
【図６】画像読取装置の平面図。
【図７】画像読取装置において原稿台を外した状態を示す斜視図。
【図８】読み取り手段がホームポジションにある状態を示す平面図。
【図９】読み取り手段がホームポジションから移動した状態を示す平面図。
【図１０】画像読取装置の筐体内に設けられた読み取り手段を示す斜視図。
【図１１】読み取り手段の移動機構の概略構成図。
【図１２】図８のＡ−Ａ矢視断面図。
【図１３】筐体に形成される壁について説明する図。
【図１４】筐体に形成される壁について説明する図。
【図１５】筐体に形成される壁の他の例について説明する図。
【図１６】筐体に形成される壁の更に他の例について説明する図。
【発明を実施するための形態】
【００２５】
［実施例１］
まず、本発明の一実施例に係る画像読取装置、及び画像読取装置を備えた記録装置の概略について説明する。本実施例において、記録装置の一例としてインクジェット式プリンター（以下、単にプリンターと称する）を例に挙げる。  
図１は、本発明に係るプリンターの外観斜視図である。図２は、本発明に係るプリンターにおいて手差しカバーを開いた状態を表す外観斜視図である。図３は、本発明に係るプリンターにおいて画像読取装置を開いた状態を示す斜視図である。図４は、本発明に係るプリンターの用紙搬送経路を示す図である。図５は、画像読取装置の斜視図である。図６は、画像読取装置の平面図である。図７は、画像読取装置において原稿台を外した状態を示す斜視図である。
【００２６】
図８は、読み取り手段がホームポジションにある状態を示す平面図である。図９は、読み取り手段がホームポジションから移動した状態を示す平面図である。図１０は、画像読取装置の筐体内に設けられた読み取り手段を示す斜視図である。図１１は、読み取り手段の移動機構の概略構成図である。図１２は、図８のＡ−Ａ矢視断面図である。図１３は、筐体に形成される壁について説明する図である。図１４は、筐体に形成される壁について説明する図である。
【００２７】
＜プリンターの全体構成について＞
以下、プリンター１の全体構成について概説する。  
本発明に係るプリンター１（図１）は、記録機構部本体２内に被記録媒体の一例としての用紙にインクジェット記録を行う記録手段（後述する記録ヘッド３０、図４参照）を備えて構成される記録機構部１５と、記録機構部本体２の上部に設けられ、原稿を読み取る画像読取装置３（図３）を備えている。即ちプリンター１は、インクジェット記録機能に加えてスキャナー機能を備える複合機として構成されている。尚、図３は、プリンター１において記録機構部１５の側面の外装を外した状態を示している。
【００２８】
尚、各図において示すＸ−Ｙ−Ｚ座標系はＸ方向が記録ヘッドの走査方向、Ｙ方向が装置奥行き方向である。Ｚ方向は重力方向であり、装置高さ方向を示している。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。  
また、以下において、プリンター１において用紙が搬送されていく搬送方向（＋Ｙ方向側）を「下流」といい、これと反対の方向（−Ｙ方向側）を「上流」という。
【００２９】
画像読取装置３（図３）は、記録機構部１５の記録機構部本体２に対して回動可能に設けられており、回動することにより、記録機構部１５の上部を閉じた状態（図１）と開いた状態（図３）とをとり得る。画像読取装置３の構成については後に更に詳述する。  
尚、画像読取装置３はその上部に開閉可能なカバー４（図１）を備えており、このカバー４が原稿台３ａ（図４、図５）を開閉する様に構成されている。またこのカバー４には原稿押さえマット（不図示）が設けられており、カバー４を閉じた際に、原稿台３ａに載置された原稿が前記原稿押さえマットにより押圧され、その被読み取り面が原稿台３ａに密着するようになっている。
【００３０】
図１のプリンター１の装置前面において符号５は、電源ボタンや各種印刷設定・記録実行を行う操作ボタン、印刷設定内容や印刷画像のプレビュー表示などを行う表示部、等を備えて成る操作パネルである。
【００３１】
また、装置前面において符号９は下段側トレイ１３（図４）に設けられた開閉可能なカバーである。そして図４に示すように、このカバー９を開くことにより、下段側トレイ１３、上段側トレイ１４、排紙受けトレイ８、のこれらが露呈する様に構成されている。
【００３２】
排紙受けトレイ８は、図示しないモーターによって記録機構部本体２に収納された状態（図１）と、記録機構部本体２の前方側に突出した状態（図４）と、を取り得る様に設けられており、記録機構部本体２の前方側に突出した状態となることで、記録が行われて排出される用紙を受けることができる。
【００３３】
下段側トレイ１３と、その上部に設けられる上段側トレイ１４は、複数枚の用紙を収容可能であり、それぞれが独立して記録機構部本体２に対して着脱可能となっている。また、一方側が未装着状態であっても、他方側が装着されていれば、当該装着されているトレイから用紙を送り出すことができる様になっている。
【００３４】
また、記録機構部本体２の後方上部において符号６は開閉可能な手差しカバーであり、この手差しカバー６を図２のように開くことにより、手差しトレイ７を利用した用紙の手差しでの給紙が行える様になっている。  
尚、プリンター１の記録機構部１５における用紙搬送経路については後に説明する。
【００３５】
＜画像読取装置の構成について＞
続いて、画像読取装置３の構成について説明する。  
画像読取装置３（図３）は、前述したように、記録機構部１５の上部において、記録機構部１５の記録機構部本体２に対して回動可能に連結されており、回動することにより記録機構部１５の上部を開閉する。  
より具体的には、画像読取装置３は、第１の連結部３５および第２の連結部３６において、記録機構部１５に対して回動可能に連結されている。第１の連結部３５および第２の連結部３６には、それぞれに回動軸３５ａ、３６ａ（図５）が設けられており、記録機構部本体２側に設けられる不図示の軸受けに回動軸３５ａ、３６ａが軸支されて、記録機構部１５の上部を開閉するように画像読取装置３が回動する。
【００３６】
画像読取装置３は原稿台３ａ（図５）を備え、原稿台３ａの上面が原稿を載置する原稿載置面となる。原稿台３ａは本実施例では透明なガラス板である。原稿台３ａの周囲は複数のフレーム３３ａ、３３ｂ、３３ｃ、３３ｄ（図５、図６）により構成されており、これらフレーム３３ａ、３３ｂ、３３ｃ、３３ｄにより画設された矩形領域（図６、符号３４）が、画像読取装置３の装置本体を構成する筐体４０内を移動する読み取り手段３７によって読み取りが可能な原稿読み取り領域３４となる。  
すなわち、本実施例において画像読取装置３はフラットベッド型のスキャナーであり、原稿台３ａの下側に、読み取り手段３７が原稿台３ａに対して相対的に移動可能に設けられている。
【００３７】
読み取り手段３７は筐体４０内に設けられ、主走査方向（Ｙ軸方向）に延設されるとともに、後述する移動機構４３により、前記主走査方向と交差する副走査方向（Ｘ軸方向）に移動可能に構成されている。尚、本実施例では、前記主走査方向は原稿読み取り領域の短辺方向に対応しており、前記副走査方向が原稿読み取り領域の長辺方向に対応している。  
読み取り手段３７は、その移動方向（Ｘ軸方向）において、原稿読み取り領域３４の＋Ｘ側の位置（図６において一点鎖線で示す読み取り手段３７の位置）から−Ｘ側の位置（図６において二点鎖線で示す読み取り手段３７の位置）まで移動する。したがって、符号３８の点線で示す矩形領域が読み取り手段３７の移動領域３８である。
【００３８】
尚、筐体４０の−Ｙ側の内壁面に沿って設けられるフレキシブルフラットケーブル５２（以下、単にケーブル５２と称する）は、図７または図８に示すように、固定部５８ａ、５８ｂ、５８ｃによって内壁面に固定されている。ケーブル５２において、固定部５８ｃよりも＋Ｘ側の部分（可動部５３、図８参照）はフリーの状態となっている。そして、可動部５３は、図９に示すように読み取り手段３７が移動すると、読み取り手段３７の移動に追従して変形可能に構成されている。
【００３９】
読み取り手段３７は、読取センサー３９と読取センサー３９を保持するセンサーキャリッジ４１とによって構成されている（図１０）。  
読取センサー３９は、不図示の光源と受光部を備え、原稿台３ａに載置された原稿に光源から光を照射し、該原稿からの反射光を受光部で受光して原稿の情報を読み取る光学センサーであり、例えばＣＣＤ（Charge Coupled Devices）方式或いはＣＩＳ（Contact
Image Sensor)方式の光学センサーを用いることができる。
【００４０】
読み取り手段３７を構成するセンサーキャリッジ４１は、図１０に示すように、その下部に設けられる係合部６３においてガイド部４２に対して移動可能に係合し、ガイド部４２に案内されて、センサーキャリッジ４１を移動させる動力源としてのモーター４４（図８、図９）の動力によって副走査方向（Ｘ軸方向）にスライドして移動するように構成されている。  
より具体的には、センサーキャリッジ４１は、以下に詳述するベルト駆動による移動機構４３（図７）により駆動され、ガイド部４２に案内されてＸ軸方向にスライド移動する。すなわち、読み取り手段３７は、モーター４４の動力によって移動するように構成されている。  
尚、図１０において符号６４は、読取センサー３９とセンサーキャリッジ４１の間に設けられ、読取センサー３９を原稿台３ａの裏面に押し付けるためのバネである。
【００４１】
センサーキャリッジ４１（読み取り手段３７）の移動機構４３（図７、図１１）は、モーター４４によって駆動される駆動プーリー４５と、駆動プーリー４５の回転に従動回転可能な複数の従動プーリーとしての第１従動プーリー４６及び第２従動プーリー４７と、これらのプーリーの間に係回される無端ベルト４８を備えている。
【００４２】
第１従動プーリー４６と第２従動プーリー４７は、筐体４０に固定されており、前記副走査方向に沿って延びる第１のベルト区間５４（図１１）を形成している。本実施例において第１従動プーリー４６と第２従動プーリー４７は、ガイド部４２の一方側端部付近と他方側端部付近とに配置されている。読み取り手段３７は、センサーキャリッジ４１の下面に設けられる不図示のベルト取付部を介して、第１のベルト区間５４において無端ベルト４８に固定されている。したがって、第１のベルト区間５４が読み取り手段３７を牽引する牽引区間となる。  
本実施例では、ガイド部４２（図９、図１０）近くに設けられる第１のベルト区間５４において読み取り手段３７を牽引するので、読み取り手段３７を円滑に移動させることができる。
【００４３】
尚、以下において、移動機構４３において、第１従動プーリー４６と第２従動プーリー４７の間のベルト区間である第１のベルト区間５４に対し、駆動プーリー４５と第２従動プーリー４７の間のベルト区間を第２のベルト区間５６といい、駆動プーリー４５と第１従動プーリー４６の間のベルト区間を第３のベルト区間５５と言う。第２のベルト区間５６と第３のベルト区間５５は、読み取り手段３７を牽引しないベルト区間である。
【００４４】
また、駆動プーリー４５は、牽引区間である第１のベルト区間５４に対し主走査方向に離れた位置に設けられている。本実施例では、駆動プーリー４５は−Ｙ方向側に位置している（図１１）。  
駆動プーリー４５を回転させるモーター４４が駆動することによって無端ベルト４８が回動し、センサーキャリッジ４１が無端ベルト４８に牽引されてＸ軸方向に往復移動する。
【００４５】
また、移動機構４３は、無端ベルト４８にテンションを与える付勢機構４９を備えている。本実施例において付勢機構４９は、第３のベルト区間５５（図１１）に設けられている。言い換えると、付勢機構４９は、無端ベルト４８における牽引区間（第１のベルト区間５４）ではないベルト区間に設けられている。  
尚、付勢機構４９は、第１のベルト区間５４の他、駆動プーリー４５と第２従動プーリー４７の間（第２のベルト区間５６）に設けることもできる。
【００４６】
ここで、第２のベルト区間５６（図１１）には、ベルト延設方向に沿って壁６０が設けられている。更に詳細には、第２のベルト区間５６にある無端ベルト４８の両側に壁６０ａ、壁６０ｂ（図１２）が設けられている。  
本実施例において壁６０ａ、壁６０ｂは、図１２及び図１３に示すように、画像読取装置３の装置本体を構成する筐体４０の底面４０ａに設けられる凹部６１（図８も参照）により形成されており、第２のベルト区間５６における無端ベルト４８の少なくとも一部が、壁６０ａ、壁６０ｂから読み取り手段３７の移動領域側である＋Ｚ方向に非突出状態となるように設けられている。すなわち、図１３に示すように、壁６０ａ、壁６０ｂが無端ベルト４８よりも高さ方向において高く形成されている。
【００４７】
第２のベルト区間５６における無端ベルト４８の少なくとも一部に対して壁６０ａ、壁６０ｂが設けられていることにより、以下の作用効果が得られる。  
すなわち、壁６０ａ、壁６０ｂによって囲われた無端ベルト４８の部分に、他の部材が接触する虞を抑制または回避することができる。以って、無端ベルト４８を用いた移動機構４３により読み取り手段３７を安定して移動させることができる。  
壁６０ａ、壁６０ｂが高さ方向において無端ベルト４８よりも高くなっていると、無端ベルト４８の全体が壁６０ａ、壁６０ｂにより囲われるので、第２のベルト区間５６の無端ベルト４８に他の部材が接触する虞をより低減することができる。
【００４８】
また、無端ベルト４８を壁６０ａ、壁６０ｂに囲うことにより、無端ベルト４８全体が露呈した状態よりも外観をよくすることができる。  
また、壁６０ａ、壁６０ｂによって無端ベルト４８を囲う形状（凹部６１）を筐体４０に形成するため、筐体４０の断面係数が上がり、その剛性を高めることができる。
【００４９】
また、壁６０ａ、壁６０ｂを筐体４０に設けられる凹部６１により形成すると、装置本体における当該凹部６１の高さ方向（Ｚ軸方向）と交差する方向（Ｘ軸方向及びＹ軸方向）にスペース６２ができる。  
したがって、凹部６１周辺にできたスペース６２（図１３）を他の構成要素を配置するスペースとして利用することができる。  
尚、スペース６２に配置する他の構成要素としては、画像読取装置３に関する構成要素の他、画像読取装置と複合的に設けられる他の装置（本実施例においては記録機構部１５）の構成要素を配置することも可能である。
【００５０】
本実施例において、壁６０ａ、壁６０ｂは、ケーブル５２の可動部５３の下側に設けられている。  
壁６０ａ、壁６０ｂを、ケーブル５２の可動部５３の下側に設けることにより、読み取り手段３７の移動時に、無端ベルト４８とケーブル５２の可動部５３が接触する虞を抑制または回避することができる。    また、壁６０ａ、壁６０ｂによって無端ベルト４８と可動部５３との接触の虞を回避するので、ケーブル５２を含む他の構成要素（読み取り手段３７等）と無端ベルト４８との位置関係において、レイアウトの自由度が増す。
【００５１】
また、本実施例において第２のベルト区間５６は、図１１に示すように副走査方向（Ｘ軸方向）と交差する方向に斜めに延びている。第２のベルト区間５６が、副走査方向と交差する方向に延びていると、ケーブル５２と無端ベルト４８との接触面積が増えるが、壁６０ａ、壁６０ｂが設けられていることにより、ケーブル５２と無端ベルト４８とが接触する虞を抑制または回避することができる。
【００５２】
前述したように、第２のベルト区間５６に設けられる壁６０ａ、壁６０ｂは、無端ベルト４８の両側に設けられている。壁６０ａ、壁６０ｂが、無端ベルト４８の両側に設けられていることにより、ケーブル５２と無端ベルト４８とが接触する虞をより確実に抑制または回避することができる。
【００５３】
尚、壁６０は、無端ベルト４８の一方側にのみ設ける構成とすることも可能である。  
本実施例において、第１のベルト区間５４は、無端ベルト４８の−Ｙ方向側に壁６０ｃ（図１２）を備えている。
【００５４】
尚、壁６０（壁６０ａ、壁６０ｂ）は、第２のベルト区間５６における無端ベルト４８の少なくとも一部に対して設けられていればよいが、少なくとも読み取り手段３７の移動に伴う可動部５３の移動領域全域５６ａ（図８）に亘って設けられていることが望ましい。  
このことによって、ケーブル５２と無端ベルト４８とが接触する虞をより確実に抑制または回避することができる。
【００５５】
もちろん、可動部５３の移動領域５６ａ以外にあるベルト区間に対して壁６０を設けることもできる。例えば、すべてのベルト区間（第１のベルト区間５４、第２のベルト区間５６、及び第３のベルト区間５５）に壁６０を設けることも可能である。  
このことにより、無端ベルト４８に対して画像読取装置３の構成要素（例えば移動する読み取り手段３７）が接触する虞を抑制することができる。  
その際、可動部５３の移動領域５６ａ以外にあるベルト区間においては、壁６０は、図１４のように、高さ方向において無端ベルトよりも低く形成されていてもよい。
【００５６】
また、移動機構４３を構成する複数の従動プーリーは、第１従動プーリー４６及び第２従動プーリー４７の２つ以外に設けることも可能である。例えば、駆動プーリー４５と第２従動プーリー４７の間、すなわち第２のベルト区間５６に、他の従動プーリーを設ける構成とすることもできる。
【００５７】
＜読み取り手段の移動機構の他の構成について＞
移動機構４３において、モーター４４は、読み取り手段３７の移動領域３８を平面視したとき（図６）に移動領域３８の外側に配置される第１の連結部３５の位置に配置されている。  
画像読取装置３における読み取り手段３７の動力源であるモーター４４は、比較的重量がある（重たい）場合が多い。重量物であるモーター４４が画像読取装置３の回動軸３５ａが設けられる第１の連結部３５に配置されることにより、画像読取装置３を開く際により小さい力で開くことができる。また、閉じる際も慣性が小さくなるので、例えば画像読取装置３を閉じた際の衝撃等により画像読取装置３や記録機構部１５が破損する虞を抑制できる。
【００５８】
加えて、例えば画像読取装置３を所定の開き角で保持する、所謂フリーストップ機構を設ける場合には、小さい力で画像読取装置３を保持することができるので、フリーストップ機構の低コスト化や軽量化を図ることができる。以って、プリンター１の低コスト化、軽量化に繋がる。  
尚、モーター４４は、第１の連結部３５及び第２の連結部３６の少なくともいずれかに配置されていればよく、第２の連結部３６側に配置することも可能である。
【００５９】
また、モーター４４が、画像読取装置３を回動可能とするための構成部位である第１の連結部３５を利用して配置されているので、装置の小型化を図ることができる。  
尚、第１の連結部３５及び第２の連結部３６は、画像読取装置３の外観を構成する筐体４０の一部の区画であり、記録機構部本体２に連結される部分である。  
本実施例において読み取り手段３７の移動領域３８（図６を参照）は、Ｘ軸方向において、読み取り可能な最大サイズの原稿（例えばＡ４サイズやレターサイズ）に対応する原稿読み取り領域３４に対し、その両側に読み取り手段３７が位置する領域の分だけ大きくなっている。筐体４０のＸ軸方向の幅は、読み取り手段３７の移動領域３８に対応する大きさとなっている。
【００６０】
また、記録機構部１５は、画像読取装置３において読み取り可能な最大サイズの原稿と同サイズの用紙に対して記録を行うことができ、手差しトレイ７の用紙のセット口５０（図６）は、用紙の長辺を搬送方向（Ｙ軸方向）に沿う向きにしてセットするようになっている。  
そのため、用紙のセット口５０のＸ軸方向の幅は、筐体４０のＸ軸方向の幅よりも狭くなる。
【００６１】
図４のように、上下に重ねて配置される記録機構部本体２と筐体４０の幅サイズは同じである方が外観上見栄えもよく、凹凸のない取り扱い易い形状とすることができるが、セット口５０は筐体４０よりも幅狭であるので、Ｘ軸方向に余剰領域ができる。  
そこで本実施例では、第１の連結部３５及び第２の連結部３６は、セット口５０のＸ軸方向の余剰領域に設けられる区画として構成されている。
【００６２】
尚、本実施例において画像読取装置３は、複合機としてのプリンター１に設けられているものについて説明したが、画像読取装置単体として構成することもできる。
【００６３】
［実施例２］
実施例２では図１５に基づき、画像読取装置３の他の実施例について説明する。図１５は、筐体に形成される壁の他の例について説明する図である。  
本実施形態において実施例１と同一の構成については同一の符号を付し、その構成の説明は省略する。
【００６４】
本実施例においては、壁７０が、画像読取装置３の装置本体を構成する筐体４０の底面４０ａに設けられるリブ７１によって形成されている。リブ７１は、樹脂等により形成される筐体４０と一体成型することにより設けることができる。  
壁７０をリブ７１により形成することにより、構成簡単にして壁７０を設けることができる。
【００６５】
［実施例３］
実施例３では図１６に基づき、画像読取装置３の更に他の実施例について説明する。図１６は、筐体に形成される壁の更に他の例について説明する図である。  
本実施形態においても実施例１と同一の構成については同一の符号を付し、その構成の説明は省略する。
【００６６】
本実施例においては、壁８０が、リブ８１の高さｄ１、及び凹部８２の高さ（深さ）ｄ２のそれぞれは、無端ベルト４８の高さＤよりも低いが、高さｄ２の凹部８２の縁に高さｄ１のリブ８１を設けることによって形成される壁８０の高さｄ３（＝ｄ１＋ｄ２）が、無端ベルト４８の高さＤよりも高くなるようになっている。
【００６７】
このようにして形成された壁８０によっても、無端ベルト４８に他の構成要素が接触する虞をより低減することができる。
【００６８】
＜プリンターの用紙搬送経路について＞
以下において、図４を参照しつつプリンター１の記録機構部１５における用紙搬送経路について説明する。初めに、手差しトレイ７からの用紙の給送について説明し、その後、装置底部に設けられる下段側トレイ１３或いは上段側トレイ１４からの用紙の給送について説明する。  
尚、図４において、手差しトレイ７からの用紙Ｐの給送経路Ｔ１を二点鎖線で示している。また、下段側トレイ１３或いは上段側トレイ１４から搬送駆動ローラー２４の上流側までの用紙Ｐの給送経路Ｔ２を点線で示している。
【００６９】
手差しトレイ７のセット口５０にセットされた用紙は、最上位の用紙が第２給送ローラー２１によってピックアップされて下流側に送られる。  
第２給送ローラー２１の先には、図示しないモーターによって回転駆動される搬送駆動ローラー２４と、該搬送駆動ローラー２４に接して従動回転する搬送従動ローラー２５とが設けられており、これらローラーによって用紙Ｐが記録ヘッド３０の下へと送られる。
【００７０】
続いて液体としてのインクを吐出する記録ヘッド３０は、キャリッジ２９の底部に設けられ、当該キャリッジ２９は図示しないモーターによって副走査方向（Ｘ軸方向）に往復動する様に駆動される。
【００７１】
記録ヘッド３０と対向する位置には、搬送される用紙Ｐを支持する媒体支持部材２８が設けられ、当該媒体支持部材２８によって、用紙Ｐと記録ヘッド３０との間の間隔（ＰＧ）が規定される。  
そして媒体支持部材２８の下流側には、図示しないモーターによって回転駆動される排出駆動ローラー３１と、当該排出駆動ローラー３１に接して従動回転する排出従動ローラー３２とが設けられている。記録ヘッド３０によって記録の行われた用紙Ｐは、これらローラーにより、上述した排紙受けトレイ８へ向けて排出される。
【００７２】
またプリンター１は、装置底部に下段側トレイ１３及び上段側トレイ１４を備え、当該下段側トレイ１３或いは上段側トレイ１４からも用紙を１枚ずつ給送することができる。  
上段側トレイ１４は、給送可能位置（図４）と、装置前面側（図４において右方向：上段側トレイ１４の引き抜き方向側）に移動した退避位置(不図示）との間をスライド（変位）可能に設けられており、図示しないモーターの動力を受けて、給送可能位置と退避位置とを変位する様に構成されている。  
尚、図４においては、下段側トレイ１３に収容される用紙を符号Ｐ１で、上段側トレイ１４に収容される用紙を符号Ｐ２で、それぞれ示している（以下、特に区別する必要がない場合は「用紙Ｐ」と言う）。
【００７３】
図示しないモーターによって回転駆動される第１給送ローラー（ピックアップローラーとも呼ばれる）１０は、回動軸１２を中心に揺動するローラー支持部材１１（ピックアップアームや揺動部材とも呼ばれる）に設けられており、上段側トレイ１４が最も装置後方側（図４において左方向：上段側トレイ１４の装着方向側であり、用紙送り出し方向側でもある）にスライドした突き当たり位置にあるとき、即ち上段側トレイ１４の給送可能位置では、第１給送ローラー１０が上段側トレイ１４に収容された用紙Ｐ２の最上位のものと接して回転することにより、当該最上位の用紙Ｐ２を上段側トレイ１４から送り出す。
【００７４】
一方、上段側トレイ１４が装置前面側（＋Ｙ側）にスライドした状態、即ち上段側トレイ１４が前述した退避位置にあるときは、ローラー支持部材１１が回動軸１２を中心に揺動し、第１給送ローラー１０が下段側トレイ１３に収容された用紙Ｐ１の最上位のものと接することができ、第１給送ローラー１０が回転することにより、当該最上位の用紙Ｐ１を下段側トレイ１３から送り出すようになっている。  
尚、下段側トレイ１３及び上段側トレイ１４は、前述したように、いずれか一方側が装着されていない場合であっても、他方側から用紙を給送可能となっている。
【００７５】
第１給送ローラー１０の下流側には、図示しないモーターによって回転駆動される中間ローラー１７が設けられており、この中間ローラー１７によって用紙Ｐは湾曲反転させられ、装置前方側へと向かう。尚、符号１９、２０は従動回転可能な従動ローラーであり、少なくとも用紙Ｐは、従動ローラー１９と中間ローラー１７とによってニップされ、また従動ローラー２０と中間ローラー１７とによってニップされて、下流側へと送られる。
【００７６】
点線で示す給送経路Ｔ２に沿って送られた用紙は、搬送駆動ローラー２４及び搬送従動ローラー２５の手前において給送経路Ｔ１（二点鎖線）と合流し、それ以降下流側においては、手差しトレイ７から給送された用紙と同様に、搬送駆動ローラー２４及び搬送従動ローラー２５によって搬送され、記録ヘッド３０による記録が行われた後に、排出駆動ローラー３１及び排出従動ローラー３２により排紙受けトレイ８へ向けて排出される。
【００７７】
また、用紙Ｐの両面を記録する場合には、表（おもて）面を記録ヘッド３０で記録した後、スイッチバックさせることで、用紙Ｐを中間ローラー１７の下側から給送経路に侵入させ、湾曲反転させることで、用紙Ｐの裏（うら）面に記録を行うことができる。尚、符号１８は中間ローラー１７の回転に従動回転可能な従動ローラーである。
【００７８】
尚、本発明は上記実施形態に限定されることなく、特許請求の範囲に記載した発明の範囲内で種々の変形が可能であり、それらも本発明の範囲内に含まれるものであることは言うまでもない。
【符号の説明】
【００７９】
１…プリンター（記録装置）、２…記録機構部本体、３…画像読取装置、
４…カバー、５…操作パネル、６…手差しカバー、７…手差しトレイ、
８…排紙受けトレイ、９…カバー、１０…第１給送ローラー、
１１…ローラー支持部材、１２…回動軸、１３…下段側トレイ、
１４…上段側トレイ、１５…記録機構部、１７…中間ローラー、１８…従動ローラー、
１９…従動ローラー、２０…従動ローラー、２１…第２給送ローラー、
２４…搬送駆動ローラー、２５…搬送従動ローラー、２８…媒体支持部材、
２９…キャリッジ、３０…記録ヘッド（記録手段）、３１…排出駆動ローラー、
３２…排出従動ローラー、３３ａ、３３ｂ、３３ｃ、３３ｄ…フレーム、
３４…原稿読み取り領域、３５…第１の連結部、３６…第２の連結部、
３７…読み取り手段、３８…移動領域、３９…読取センサー、
４０…筐体、４１…センサーキャリッジ、４２…ガイド部、
４３…移動機構、４４…モーター（動力源）、４５…駆動プーリー、
４６…第１従動プーリー、４７…第２従動プーリー、４８…無端ベルト、
４９…付勢機構、５０…セット口、
５２…フレキシブルフラットケーブル（ケーブル）、
５３…可動部、５４…第１のベルト区間、５５…第３のベルト区間、
５６…第２のベルト区間、５８ａ、５８ｂ、５８ｃ…固定部、
６０、６０ａ、６０ｂ、６０ｃ…壁、６１…凹部、６２…スペース、
６３…係合部、６４…バネ、７０…壁、７１…リブ、
８０…壁、８１…リブ、８２…凹部、
Ｐ、Ｐ１、Ｐ２  用紙（被記録媒体）
【図１】
2017153005.tif 000003
【図２】
2017153005.tif 000004
【図３】
2017153005.tif 000005
【図４】
2017153005.tif 000006
【図５】
2017153005.tif 000007
【図６】
2017153005.tif 000008
【図７】
2017153005.tif 000009
【図８】
2017153005.tif 000010
【図９】
2017153005.tif 000011
【図１０】
2017153005.tif 000012
【図１１】
2017153005.tif 000013
【図１２】
2017153005.tif 000014
【図１３】
2017153005.tif 000015
【図１４】
2017153005.tif 000016
【図１５】
2017153005.tif 000017
【図１６】
2017153005.tif 000018